(57)【要約】  【課題】 既設のモルタル吹付けの老朽化対策工事において、モルタルを剥ぎ取ることなく、その上から施工する吹付法枠などの接着性を向上する。  【解決手段】      既設のモルタル吹付け面を高圧水洗浄したのち、下地処理を行った面に法枠下地接着剤を塗布したのち、抑制効果のある吹付法枠などを施工する。  【選択図】 図５
2009114686.tif 000002
【特許請求の範囲】
【請求項１】
道路や宅地の法面にて施工された既設のモルタル吹付けの老朽化に伴う崩壊を防止するモルタル接着法枠工法において、
既設のモルタル吹付け面に付着するコケや埃などを洗浄する高圧水洗浄工程と、
洗浄されたモルタル吹付け面にエマルジョン樹脂などの接着液を塗布する下地処理工程と、
エマルジョン樹脂などの接着液とセメントが主成分となるモルタルを練混した法枠下地接着剤を塗布する接着剤塗布工程と、
前記接着剤塗布工程を施工することで吹付法枠などの抑制効果のある格子状セメント系表層保護工法を既設のモルタル吹付け面に接着して施工できることを特徴とするモルタル接着法枠工法。
【請求項２】
前記格子状セメント系表層保護工法の枠内に既設のモルタル吹付け層を貫通するように水抜きパイプを配置してモルタルを吹付けることを特徴とする請求項１に記載のモルタル接着法枠工法。
【発明の詳細な説明】
【技術分野】
【０００１】
本発明は、道路や宅地の法面にて施工された既設のモルタル吹付けの老朽化に伴う崩壊を防止するため、老朽化したモルタル吹付け面を剥ぎ取ることなく、その上から吹付法枠などの抑制効果のある格子状セメント系表層保護工法を接着して施工することができるモルタル接着法枠工法に関するものである。
【背景技術】
【０００２】
従来施工されてきたモルタル吹付け工法は、長年にわたる紫外線や雨水等の影響により劣化が進行し、さらに温度変化等によるモルタルの収縮、膨張の繰り返し作用と合わせてモルタル面の亀裂が進行しているものが多く、本来の目的である地山の風化防止という効果がなくなっている場合が多い。
【０００３】
その状態のものをそのまま放置した場合、モルタルそのものが剥がれ落ちるだけでなく地山の風化を進行させてしまい、斜面の崩壊を引き起こしてしまう危険性が高くなる。
【０００４】
そのため、モルタル吹付け工法のやり直し施工を行うと、剥ぎ取りのための仮設防護柵の設置による長期的な交通規制や産業廃棄物の処理という問題が発生してしまう。
【０００５】
そこで既設のモルタル層を剥がずに補修する手段が提案されている。（特許文献１）
【特許文献１】特許公開２００５−３６５７９
【発明の開示】
【発明が解決しようとする課題】
【０００６】
この既存モルタル吹付施工箇所の補修工法では、既設のモルタル吹付け面の上からモルタルにビニロン繊維混入させると共に、接着液を添加した繊維モルタルを接着剤塗布面に所定の厚さで吹付けて被覆層を形成する工法であるが、表層の崩壊を防止する安全性が計算上成り立たたない風化防止を目的としたモルタル吹付け工法の補修方法であるため、地山が風化して表層崩壊の可能性がある場合やモルタルが滑落する危険性のある場合などではそれらの危険性を確実に排除しなければならない。
【０００７】
しかし、老朽化したモルタル面には多数のヘアークラックが入っている場合が多く、そのクラックすべてに接着液を浸透させることは加圧注入等の手段を用いても困難なものであり、既設の老朽化したモルタル面を一体化することは困難であるといえる。したがって、地山に崩壊の可能性がない状態であったとしても一体化されていないモルタル層が部分的に滑落する可能性が残る。
【０００８】
つぎに、老朽化してクラックが多く入ったモルタル吹付け工法の背面にある地山は、そのクラックから多くの雨水が浸入していることが推測されるため、地山は少なくともモルタル吹付け工法を施工した当初よりも風化が進行していると考えられ、表層崩壊の可能性もあるといえる。つまり、剥ぎ取りを行わない場合の殆どが推測となるため、その補修方法に安全性が計算上成り立たない工法を用いることは問題がある。
【課題を解決するための手段】
【０００９】
そこで、請求項１に係る本発明では、道路や宅地の法面にて施工された既設のモルタル吹付けの老朽化に伴う崩壊を防止するモルタル接着法枠工法において、既設のモルタル吹付け面に付着するコケや埃などを洗浄する高圧水洗浄工程と、洗浄されたモルタル吹付け面にエマルジョン樹脂などの接着液を塗布する下地処理工程と、エマルジョン樹脂などの接着液とセメントが主成分となるモルタルを練混した法枠下地接着剤を塗布する接着剤塗布工程と、前記接着剤塗布工程を施工することで吹付法枠などの抑制効果のある格子状セメント系表層保護工法を既設のモルタル吹付け面に接着して施工できることを特徴とする。
【００１０】
また、請求項２に係る本発明では、請求項１に記載のモルタル接着法枠工法において、前記格子状セメント系表層保護工法の枠内に既設のモルタル吹付け層を貫通するように水抜きパイプを配置してモルタルを吹付けることを特徴とする。
【発明の効果】
【００１１】
本発明によれば、以下に記載するような効果が生起される。すなわち、請求項１に係る本発明では、道路や宅地の法面にて施工された既設のモルタル吹付けの老朽化に伴う崩壊を防止するモルタル接着法枠工法において、既設のモルタル吹付け面に付着するコケや埃などを洗浄する高圧水洗浄工程と、洗浄されたモルタル吹付け面にエマルジョン樹脂などの接着液を塗布する下地処理工程と、エマルジョン樹脂などの接着液とセメントが主成分となるモルタルを練混した法枠下地接着剤を塗布する接着剤塗布工程と、前記接着剤塗布工程を施工することで吹付法枠などの抑制効果のある格子状セメント系表層保護工法を既設のモルタル吹付け面に接着して施工できることを特徴とするため、老朽化した既設のモルタル吹付け面を剥ぎ取ることなく、その上から吹付法枠等を接着する状態で施工できるものとなる。つまり、剥ぎ取りが必要と考えられる不安定化したモルタルは吹付法枠等に接着されることで安定すること。また、風化の進行した地山も抑制効果のある吹付法枠等を施工することができるため、計算上安全率を増加させることが可能となることで確実に表層崩壊を防止することが可能となる。
【００１２】
また、請求項２に係る本発明では、請求項１に記載のモルタル接着法枠工法において、前記格子状セメント系表層保護工法の枠内に既設のモルタル吹付け層を貫通するように水抜きパイプを配置してモルタルを吹付けることを特徴とするため、不安定化している既設のモルタル吹付け層全体を接着安定することが可能となり、背面からの湧水等は、水抜きパイプより速やかに表面に排出することが可能になることと同時に表面からの雨水を地山に浸入することを防止できる。その結果、地山の風化進行を防止でき、表層崩壊を確実に防止することが可能となる。
【発明を実施するための最良の形態】
【００１３】
本発明に係るモルタル接着法枠工法は、道路や宅地の法面にて施工された既設のモルタル吹付けの老朽化に伴う崩壊を防止して安定化させることができる工法である。
【００１４】
以下、本発明の一実施形態について、図面を参照して具体的に説明する。図１は、既設のモルタル吹付け面に付着するコケや埃などを洗浄する高圧水洗浄工程を示す断面模式図であり、図２は、洗浄されたモルタル吹付け２の表面にエマルジョン樹脂などの接着液４を塗布する下地処理工程を示す模式図であり、図３は、エマルジョン樹脂などの接着液とセメントが主成分となるモルタルを練混した法枠下地接着剤５を塗布する接着剤塗布工程を示す断面模式図であり、図４は、接着剤塗布工程を施工した後に吹付法枠６を既設のモルタル吹付け２の表面に接着して施工している断面模式図であり、図５は、接着剤塗布工程を施工した後に吹付法枠６ではなく簡易法枠９を既設のモルタル吹付け２の表面に接着して施工している示す模式図である。
【００１５】
本実施形態のモルタル接着法枠工法では、図１に示すように、まず、既設のモルタル吹付け２の表面に付着するコケや埃などを高圧水３により洗浄する。なお、図１中の符号１は、既設のモルタル吹付け２の背面にある地山を示している。
【００１６】
図２に示すように、洗浄されたモルタル吹付け２の表面にエマルジョン樹脂などの接着液４を塗布する下地処理工程であるが、この工程は既設のモルタル吹付け２の表面に付着するコケや埃などを確実に洗浄したことを確認した後に行うこととする。
【００１７】
次に、図３に示すように、エマルジョン樹脂などの接着液４とセメントが主成分となるモルタルを練混した法枠下地接着剤５を塗布する。この工程は吹付法枠６や簡易法枠９の下地処理となるラス網やアンカーピン、アンカーバーを設置してモルタルを吹付ける直前の段階で作業することがより接着力を向上させることとなるため望ましい。
【００１８】
次に、図４に示すように、接着剤塗布工程を施工した後に吹付法枠６を既設のモルタル吹付け２の表面に接着して施工する。枠内には既設のモルタル吹付け２を貫通するように削孔して水抜きパイプ７を配置した状態でモルタルを吹付ける。
【００１９】
また、図５は、接着剤塗布工程を終えた後に吹付法枠６ではなく簡易法枠９を既設のモルタル吹付け２の表面に接着して施工するものであるが、この場合も吹付法枠６の施工の場合と同じように、枠内に既設のモルタル吹付け２を貫通するように削孔して水抜きパイプ７を配置した状態でモルタルを吹付ける。
【図面の簡単な説明】
【００２０】
【図１】既設のモルタル吹付け面に付着するコケや埃などを洗浄する高圧水洗浄工程を示す断面模式図である。
【図２】洗浄されたモルタル吹付け面にエマルジョン樹脂などの接着液を塗布する下地処理工程を示す模式図である。
【図３】エマルジョン樹脂などの接着液とセメントが主成分となるモルタルを練混した法枠下地接着剤を塗布する接着剤塗布工程を示す断面模式図である。
【図４】接着剤塗布工程を施工した後に吹付法枠を既設のモルタル吹付け面に接着して施工している断面模式図である。
【図５】接着剤塗布工程を施工した後に吹付法枠ではなく簡易法枠を既設のモルタル吹付け面に接着して施工している示す模式図である。
【符号の説明】
【００２１】
１  地山
２  既設のモルタル吹付け
３  高圧水
４  接着液
５  法枠下地接着剤
６  吹付法枠
７  水抜きパイプ
８  枠内モルタル吹付け
９  簡易法枠
【図１】
2009114686.tif 000003
【図２】
2009114686.tif 000004
【図３】
2009114686.tif 000005
【図４】
2009114686.tif 000006
【図５】
2009114686.tif 000007